(57)【要約】      （修正有）【課題】機能性フィルムのポリエチレンテレフタレート製の基材側が気泡シートの外層フィルムに添着された気泡シート体、及びこの気泡シート体を用いて構成される梱包具を提供する。【解決手段】多数のキャップ状の突起を有するキャップフィルムＣの少なくとも一面側に外層フィルム４を添着した気泡シート２と、この気泡シート２の外層フィルム４の外面４１に添着した機能性フィルム３とを備えた気泡シート体１であって、前記外層フィルム４が、ポリオレフィン樹脂に接着性ポリマーを添加したものであり、前記機能性フィルム３が、ポリエチレンテレフタレート製の基材５の一面にアルミ蒸着層６を備えたものであり、前記機能性フィルム３の基材５側の面３１を前記外層フィルム４の外面４１に添着している。【選択図】図１
2014121828.tif 000002
【特許請求の範囲】
【請求項１】
多数のキャップ状の突起を有するキャップフィルムの少なくとも一面側に外層フィルムを添着した気泡シートと、この気泡シートの外層フィルムの外面に添着した機能性フィルムとを備えた気泡シート体であって、
前記外層フィルムが、ポリオレフィン樹脂に接着性ポリマーを添加したものであり、
前記機能性フィルムが、ポリエチレンテレフタレート製の基材の一面にアルミ蒸着層を備えたものであり、
前記機能性フィルムの基材側の面を前記外層フィルムの外面に添着していることを特徴とする気泡シート体。
【請求項２】
前記気泡シートが、前記キャップフィルムの突起開放側に外層フィルムであるバックフィルムを添着したものである請求項１記載の気泡シート体。
【請求項３】
前記気泡シートが、前記キャップフィルムの突起開放側に外層フィルムであるバックフィルムを添着するとともに、前記キャップフィルムの突起先端側に外層フィルムであるライナーフィルムを添着した３層構造のものである請求項１または２記載の気泡シート体。
【請求項４】
前記機能性フィルムが、前記アルミ蒸着層の外側にポリエチレン製のラミネート層を備えたものである請求項１、２または３記載の気泡シート体。
【請求項５】
請求項１〜４いずれかに記載の気泡シートの一面に機能性フィルムを添着した気泡シート体を用いて構成され、内部に物品収容空間を有する梱包具であって、
前記気泡シートが、物品収容空間側に配されていることを特徴とする梱包具。
【発明の詳細な説明】
【技術分野】
【０００１】
本発明は、気泡シートの外面に機能性フィルムを備えた気泡シート体、及びこの気泡シート体を用いて構成される梱包具に関するものである。
【背景技術】
【０００２】
梱包具や断熱部材等として、多数のキャップ状の突起を有するキャップフィルムと、このキャップフィルムの突起開放側に添着したバックフィルムとを備えた気泡シートが知られている。この気泡シートは、ポリエチレン等のポリオレフィン樹脂によって形成されている。また、この気泡シートの外面に、断熱性などの性能をさらに高めるべくアルミ蒸着層を有した機能性フィルムを添着するようにしたものも開発されている（例えば、特許文献１を参照）。
【０００３】
この機能性フィルムは、例えば、ポリエチレン層とアルミ蒸着層とポリエチレンテレフタレート（以下、「ＰＥＴ」と呼ぶ。）層がこの順で積層された構造を有する。機能性フィルムを気泡シートに添着する際には、前記ポリエチレン層側がバックシートの外面と融着されるようにしている。これは、ＰＥＴとポリエチレン等のポリオレフィン樹脂との接着性が悪く、機能性フィルムのＰＥＴ層側をバックフィルムの外面に融着することができない、という不具合が生じているためである。
【０００４】
このような問題は、機能性フィルムをバックフィルム側に添着する場合のみならず、ポリオレフィン樹脂製のライナーフィルムを備えた３層状の気泡シートの場合にも同様に生じるものである。
【先行技術文献】
【特許文献】
【０００５】
【特許文献１】特開２０１２−１７９８７５号公報
【発明の概要】
【発明が解決しようとする課題】
【０００６】
本発明は、上述した不具合を解消し、機能性フィルムのＰＥＴ製の基材側が気泡シートの外層フィルムに添着された気泡シート体、及びこの気泡シート体を用いて構成される梱包具を提供することを目的としている。
【課題を解決するための手段】
【０００７】
本発明は、以上のような課題を解決するために、次のような構成を採用したものである。すなわち、本発明に係る気泡シート体は、多数のキャップ状の突起を有するキャップフィルムの少なくとも一面側に外層フィルムを添着した気泡シートと、この気泡シートの外層フィルムの外面に添着した機能性フィルムとを備えた気泡シート体であって、前記外層フィルムが、ポリオレフィン樹脂に接着性ポリマーを添加したものであり、前記機能性フィルムが、ポリエチレンテレフタレート製の基材の一面にアルミ蒸着層を備えたものであり、前記機能性フィルムの基材側の面を前記外層フィルムの外面に添着していることを特徴とする。
【０００８】
ここで、「接着性ポリマー」とは、基材たる樹脂に無水マレイン酸やカルボン酸などの官能基を付与したものであり、この接着性ポリマーを用いない場合に比べてＰＥＴ等の極性基含有ポリマーとの接着性を著しく向上させることができるようなものであればどのようなものであってもよく、例えば、タフマー（登録商標、三井化学株式会社製）、モディック（登録商標、三菱化学株式会社製）、メルセン（登録商標、東ソー株式会社製）等種々のものが含まれる。
【０００９】
このようなものであれば、ポリオレフィン樹脂に接着性ポリマーが添加された外層フィルムを、ポリエステルの一種であるＰＥＴとの接着性を良好なものとすることができるので、機能性フィルムのＰＥＴ製の基材側を気泡シートの外層フィルムに添着させることができる。そのため、前記機能性フィルムの基材側の面を前記外層フィルムの外面に添着した状態の気泡シート体を得ることができる。
【００１０】
前記気泡シートは、前記キャップフィルムの突起開放側に外層フィルムであるバックフィルムを添着したものが好ましい。
【００１１】
前記気泡シートは、前記キャップフィルムの突起開放側に外層フィルムであるバックフィルムを添着するとともに、前記キャップフィルムの突起先端側に外層フィルムであるライナーフィルムを添着した３層構造のものが好適な一例として挙げられる。すなわち、気泡シートが３層構造の場合には、前記バックフィルム側のみに機能性フィルムが添着されるもの、前記ライナーフィルム側のみに機能性フィルムが添着されるもの、及び、バックフィルム側及びライナーフィルム側の両側に機能性フィルムがそれぞれ添着されるもの、の３パターンが含まれている。
【００１２】
前記機能性フィルムは、前記アルミ蒸着層の外側にポリエチレン製のラミネート層を備えたものが好ましい。
【００１３】
請求項１〜４いずれかに記載の気泡シートの一面に機能性フィルムを添着した気泡シート体を用いて構成される梱包具としては、内部に物品収容空間を有するものであって、前記気泡シートが、物品収容空間側に配されているものが好ましい。
【発明の効果】
【００１４】
本発明は、以上のような構成であるから、機能性フィルムのＰＥＴ製の基材側が気泡シートの外層フィルムに添着された気泡シート体、及びこの気泡シート体を用いて構成される梱包具を提供することができる。
【図面の簡単な説明】
【００１５】
【図１】本発明の第１実施形態にかかる気泡シート体の概略断面図。
【図２】同実施形態の気泡シート体を用いて構成される袋状の梱包具の作成手順を示す説明図。
【図３】同実施形態の気泡シート体を用いて構成される箱状の梱包具の作成手順を示す説明図。
【図４】本発明の第２実施形態にかかる気泡シート体の概略断面図。
【図５】本発明の第３実施形態にかかる気泡シート体の概略断面図。
【発明を実施するための形態】
【００１６】
以下、本発明の第１実施形態について図１を参照して説明する。
【００１７】
本実施形態の気泡シート体１は、図１に示すように、キャップフィルムＣの一面側に外層フィルム４を添着した気泡シート２と、この気泡シート２の外層フィルム４の外面４１に添着した機能性フィルム３とを備えてなる。詳述すれば、この気泡シート体１は、多数のキャップ状の突起を有するキャップフィルムＣと、このキャップフィルムＣの突起開放側に添着したバックフィルムＢと、前記キャップフィルムＣの突起先端側に添着したライナーフィルムＬとからなる気泡シート２のバックフィルムＢ側に前記機能性フィルム３が添着されたものである。
【００１８】
気泡シート２は、柔軟性を有した中空シート状のもので、合成樹脂、例えばポリオレフィン樹脂により作られている。この気泡シート２は、前記キャップフィルムＣと、このキャップフィルムＣの突起開放側に添着され前記外層フィルム４であるバックフィルムＢと、前記キャップフィルムＣの突起先端側に添着され前記外層フィルム４であるライナーフィルムＬとを備えた３層構造のものである。この気泡シート２は、キャップフィルムＣ、バックフィルムＢ及びライナーフィルムＬからなる３層構造を有する従来品と同様であり、材料としては、常用のポリエチレンをはじめ、ポリプロピレンのようなポリオレフィン、エチレン−酢酸ビニル共重合体、ナイロンそのほか多種類のプラスチックが使用できる。本実施形態においては、気泡シート２は、滑剤や酸化防止剤、耐電防止剤などが含まれるポリエチレンを材料にして作られたものである。
【００１９】
キャップフィルムＣは、厚さが２００μｍよりも薄いものであり、本実施形態ではキャップフィルムＣの厚み寸法を例えば３０μｍ程度に設定している。なお、キャップフィルムＣの厚み寸法は、３０μｍ〜９０μｍが好ましい。キャップフィルムＣは、多数の円柱形状の突起を有しており、各突起は、平面視円形状をなしている。
【００２０】
バックフィルムＢは、厚さが２００μｍよりも薄いものであり、本実施形態ではバックフィルムＢの厚み寸法を例えば１０μｍ程度に設定している。なお、バックフィルムＢの厚み寸法は、１０μｍ〜３０μｍが好ましい。バックフィルムＢは、凹凸を有しない平坦なものであり、前記キャップフィルムＣの突起開放側に添着されることにより、多数の密閉された気泡２ａが形成される。
【００２１】
気泡２ａは、形状が低い円柱形状であって、寸法は、直径が６ｍｍ〜５０ｍｍ程度、高さが２ｍｍ〜３０ｍｍ程度のものである。本実施形態では気泡２ａの直径を１０ｍｍ程度とし、高さを４ｍｍ程度に設定してある。なお、気泡２ａの直径は６．５ｍｍ〜１０ｍｍが好ましく、気泡２ａの高さ寸法は２ｍｍ〜４ｍｍが好ましい。この気泡２ａの配置は、流れ方向にはピッチが約１１．５ｍｍの千鳥状に配置されているが、巾方向には直線状に並んでいる。
【００２２】
ライナーフィルムＬは、厚さが２００μｍよりも薄いものであり、本実施形態ではライナーフィルムＬの厚み寸法を例えば７μｍ程度に設定している。なお、ライナーフィルムＬの厚み寸法は、７μｍ〜２５μｍが好ましい。ライナーフィルムＬは、凹凸を有しない平坦なものであり、前記キャップフィルムＣの突起先端側に添着される。
【００２３】
機能性フィルム３は、ＰＥＴ製の基材５の一面にアルミ蒸着層６を備えたものであり、気泡シート２に保湿・保冷機能、静電防止機能、及び遮光機能を付与するものである。基材５は、厚さが３０μｍよりも小さいものが好ましく、本実施形態では基材５の厚み寸法を例えば１２μｍ程度に設定している。基材５は、凹凸を有しない平坦なフィルム状のものであり、その一面にアルミ蒸着を施してある。アルミ蒸着層６は、厚さが約３００〜４００Å（オングストローム）である。なお、このような機能性フィルム３の製造それ自体は、既知の技術に従って実施することができる。
【００２４】
しかして、本実施形態の気泡シート体１は、機能性フィルム３の前記基材５側の面３１が、前記バックフィルムＢの外面４１の全体を覆うように添着されている。
【００２５】
前記機能性フィルム３が添着されるバックフィルムＢは、ポリオレフィン樹脂に接着性ポリマーを添加したものである。具体的には、バックフィルムＢは、ポリエチレンを材料にして作られたものであり、接着性ポリマー（タフマー：登録商標、三井化学株式会社製）を例えば１０ＰＨＲ（ｐｅｒ  ｈｕｎｄｒｅｄ  ｒｅｓｉｎ）含有している。なお、接着性ポリマーの含有量は、１０ＰＨＲ〜４０ＰＨＲに設定されるものであり、２０ＰＨＲ程度が好ましい。この接着性ポリマーは、例えば、無極性のオレフィン系樹脂の基材に無水マレイン酸やカルボン酸などの極性基を導入したものであり、ポリエチレン樹脂に添加することにより異種材料であるＰＥＴとの接着性を付与し得るものである。
【００２６】
次に、このような気泡シート体１の製造方法について説明する。
【００２７】
３層構造の気泡シート２は、例えば、特開２０１２−４５７４８号公報等によって開示されているように、溶融状態にある樹脂フィルムを連続的に供給するダイと、外周面に複数のキャビティが形成された成形ロールとを主体に構成される通常の気泡シート製造装置を用いて作られる。詳述すれば、まず、成形ロールの外周面に第１のダイからの樹脂フィルムを接触させるとともに、キャビティにおいて吸引を行い、キャビティ形状に対応した突起を真空成形してキャップフィルムＣとする。そして、成形された突起の開放端側に、第２のダイから供給される樹脂フィルムをバックフィルムＢとして対向させるとともに、バックフィルムＢをキャップフィルムＣに密着させて両者を互いに熱融着により積層させ、その後、剥離ロールで剥離することで２層構造の気泡シート２を製造する。さらに、突起の先端側に、第３のダイから供給される樹脂フィルムをライナーフィルムＬとして融着ロールで加熱しつつ熱融着により積層させることで、３層構造の気泡シート２が得られる。
【００２８】
なお、本実施形態の気泡シート２は、無色透明ではない雑色のものであり、前記第１〜第３のダイに入れられる着色した合成樹脂の入れ替え作業時に製造されるものである。なお、図１では、説明の便宜上、雑色の気泡シート２にパターンを付している。
【００２９】
３層構造の気泡シート２のバックフィルムＢ側の外面４１には、基材５側がバックフィルムＢ側に接するように機能性フィルム３を配し、融着ロール等を用いて加熱しつつ熱溶着により積層させることで、気泡シート２の一面側に機能性フィルム３を配した気泡シート体１が得られる。
【００３０】
次に、上記実施形態における気泡シート体１を用いて構成される梱包具８、９について説明する。
【００３１】
まず、図２に示すような袋状の梱包具８は、内部に物品収容空間８１を有し、前記気泡シート２が、物品収容空間８１側に配されているものである。詳述すれば、この袋状の梱包具８は、上記実施形態で説明したバックフィルムＢ側のみに機能性フィルム３が添着された気泡シート体１を用いて構成されるもので、物品収容空間８１側に雑色のライナーフィルムＬが位置するとともに、外部側に機能性フィルム３のアルミ蒸着層６が露出するようになっている。
【００３２】
袋状の梱包具８の作り方は、例えば、気泡シート体１をライナーフィルムＬ側が内側にくるようにして二つ折りにし、２枚重なった気泡シート体１の側縁部８２をヒートシール処理等によって封止する。このようにして、物品を物品収容空間８１に出し入れ可能な開口８３が形成され、この開口８３を塞ぐことのできる蓋部８４を備えるとともに、折り込まれたライナーフィルムＬが作る空間が物品収容空間８１として機能する袋状の梱包具８を作成することができる。なお、図２では、説明の便宜上、雑色の気泡シート２にパターンを付している。
【００３３】
次に、図３に示すような箱状の梱包具９は、内部に物品収容空間９１を有し、前記気泡シート２が、物品収容空間９１側に配されているものである。詳述すれば、この箱状の梱包具９は、上記実施形態で説明したバックフィルムＢ側のみに機能性フィルム３が添着された気泡シート体１を用いて構成されるもので、物品収容空間９１側に雑色のライナーフィルムＬが位置するとともに、外部側に機能性フィルム３のアルミ蒸着層６が露出するようになっている。
【００３４】
箱状の梱包具９の作り方は、例えば、気泡シート２を図３の最左図のような形、具体的には気泡シート体１を組み立てた際に箱の底面部９５となる部分がくびれた形に打ち抜き、底面部９５となる部分の巾方向中心に沿って二つ折りする。その後、２枚重なった気泡シート体１の側縁部９２に沿ってヒートシール処理等により封止する。また、側面部９６と底面部９５とがそれぞれ直角となるように、底面部９５を蓋部９４の方へ押し上げ、底面部９５の側縁９７と側面部９６の底縁９８をヒートシール処理等によって封止する。このようにして、物品を物品収容空間９１に出し入れ可能な開口９３が形成され、この開口９３を塞ぐことができる蓋部９４を備えるとともに、ライナーフィルムＬのみによって囲まれる内部空間が物品収容空間９１として機能する箱状の梱包具９を作成することができる。なお、図３では、説明の便宜上、雑色の気泡シート２にパターンを付している。
【００３５】
以上に述べたように、本実施形態に係る気泡シート体１は、多数のキャップ状の突起を有するキャップフィルムＣの一面側にバックフィルムＢを添着するとともに、当該キャップフィルムＣの他面側にライナーフィルムＬを添着した気泡シート２と、この気泡シート２のバックフィルムＢの外面４１に添着した機能性フィルム３とを備えたものであって、前記外層フィルム４が、ポリエチレン樹脂に接着性ポリマーを添加したものであり、前記機能性フィルム３が、ＰＥＴ製の基材５の一面にアルミ蒸着層６を備えたものであり、前記機能性フィルム３の基材５側の面３１を前記外層フィルム４の外面４１に添着している。このように、機能性フィルム３の基材５が接するバックフィルムＢに接着性ポリマーを添加しているので、ＰＥＴとポリエチレン樹脂との接着性の悪さを解消し、機能性フィルム３の基材５側、すなわち、ＰＥＴ層側をバックフィルムＢの外面４１に融着させることができる。したがって、機能性フィルム３が、従来バックフィルムＢとの接着用として必要であったポリエチレン層を具備する必要がなくなり、気泡シート体１の設計の自由度を高めることができる。すなわち、本実施形態のように機能性フィルム３がポリエチレン層を備えていないものであれば、気泡シート体１の厚み寸法を比較的小さく設定することができる。
【００３６】
なお、この気泡シート体１は、機能性フィルム３がアルミ蒸着層６を備えたものであるため、保湿・保冷効果や、静電防止効果を有し、遮光性、高耐久性、防水性、耐薬品性、断熱性に優れたものとすることができる。
【００３７】
前記気泡シート２が、前記キャップフィルムＣの突起開放側にバックフィルムＢを添着したものであるので、凹凸のない比較的平坦な機能性フィルム３を重ね合わせやすい。
【００３８】
前記気泡シート２が、前記キャップフィルムＣの突起開放側にバックフィルムＢを添着するとともに、前記キャップフィルムＣの突起先端側にライナーフィルムＬを添着した３層構造のものであるので、キャップフィルムＣ及びバックフィルムＢのみの２層構造のものに比べて耐久性に優れている。
【００３９】
また、本実施形態の袋状または箱状の梱包具８、９は、気泡シート２の一面に機能性フィルム３を添着した気泡シート体１を用いて構成され、内部に物品収容空間８１、９１を有するものであって、前記気泡シート２が、物品収容空間８１、９１側に配されているので、気泡シート２として雑色のものを使うことができる。すなわち、今まで製造していた色の気泡シート２とは異なる色の気泡シート２を製造する際、前述したようなダイによって連続的に製造している都合上、製品としては使いものにならない中途半端な色（雑色）の気泡シート２が製造されてしまう。このような雑色の気泡シート２は、気泡シート２として構造的には問題がないものの、所望の色とは異なるため市場に出回ることなく廃棄されていた。ところが、本実施形態のようなものであれば、気泡シート２として雑色のものを用いても比較的気にならない物品収容空間８１、９１側に用いることができ、今まで捨てられていた気泡シート２を有効活用することができる。なお、袋状または箱状の梱包具８、９の外部からは、アルミ蒸着による着色で気泡シート２を視認することはできない。
【００４０】
次に、本発明の第２実施形態について図４を参照して説明する。なお、第１実施形態と同一またはこれに準じている部分については、第１実施形態のものと同一の符号を付して説明を省略する。
【００４１】
本実施形態の気泡シート体１は、図４に示すように、キャップフィルムＣの一面側に外層フィルム４を添着した気泡シート２と、この気泡シート２の外層フィルム４の外面４１に添着した機能性フィルム３とを備えてなる。詳述すれば、この気泡シート体１は、多数のキャップ状の突起を有するキャップフィルムＣと、このキャップフィルムＣの突起開放側に添着したバックフィルムＢと、前記キャップフィルムＣの突起先端側に添着したライナーフィルムＬとからなる気泡シート２のバックフィルムＢ側に前記機能性フィルム３が添着されたものである。なお、気泡シート２は、第１実施形態と同一のものを用いているため、説明を省略する。
【００４２】
機能性フィルム３は、ＰＥＴ製の基材５の一面にアルミ蒸着層６を備えたものであり、気泡シート２に保湿・保冷機能、静電防止機能、及び遮光機能を付与するものである。本実施形態の機能性フィルム３は、アルミ蒸着層６の外面側にポリエチレン製のラミネート層７を備えたものであり、基材５、アルミ蒸着層６及びラミネート層７の３層構造をなしている。基材５は、厚さが３０μｍよりも小さいものが好ましく、本実施形態では基材５の厚み寸法を例えば１２μｍ程度に設定している。基材５は、凹凸を有しない平坦なフィルム状のものであり、その一面にアルミ蒸着を施してある。アルミ蒸着層６は、厚さが約３００〜４００Å（オングストローム）である。なお、このような機能性フィルム３の製造それ自体は、既知の技術に従って実施することができる。ラミネート層７は、厚さが５０μｍよりも薄いものが好ましく、本実施形態ではラミネート層７の厚み寸法を例えば１５μｍ程度に設定している。
【００４３】
しかして、本実施形態の気泡シート体１は、機能性フィルム３の前記基材５側の面３１が、前記バックフィルムＢの外面４１の全体を覆うように添着されており、前記機能性フィルム３が添着されるバックフィルムＢは、ポリオレフィン樹脂に接着性ポリマーが添加されたものである。
【００４４】
気泡シート体１の製造方法は、第１実施形態のものに準じるため説明を省略する。また、本実施形態の気泡シート体１を用いて、第１実施形態の梱包具８、９に準じた梱包具を構成することができる。その際、袋状または箱状の梱包具は、バックフィルムＢ側のみに機能性フィルム３が添着された気泡シート体１を用いて構成されるもので、物品収容空間側に雑色のライナーフィルムＬが位置するとともに、外部側に機能性フィルム３のラミネート層７が露出するようになっている。
【００４５】
本実施形態に係る気泡シート体１は、上述したようなものであるので、第１実施形態のものに準じた効果を得ることができる。さらに、本実施形態では前記機能性フィルム３が、前記アルミ蒸着層６の外側にポリエチレン製のラミネート層７を備えたものであるため、アルミ蒸着層６自体を保護できるだけでなく、気泡シート２と機能性フィルム３との接着面に水を浸入しにくくして接着効果を持続させることができるという効果もある。このように、耐候性に優れたものであるため、例えばトンネル等、室外で用いられる建材にも適用させることができる。また、この気泡シート体１の廃棄時には、ポリエチレン製のラミネート層７と金属製のアルミ蒸着層６とを分別することができる。
【００４６】
次に、本発明の第３実施形態について図５を参照して説明する。なお、第１実施形態と同一またはこれに準じている部分については、第１実施形態のものと同一の符号を付して説明を省略する。
【００４７】
気泡シート２は、第１実施形態に準じた３層構造のものであり、雑色を有していない正規品であり、無色透明または有色のものである。
【００４８】
機能性フィルム３は、ＰＥＴ製の基材５の一面にアルミ蒸着層６を備えたものであり、気泡シート２に保湿・保冷機能、静電防止機能、及び遮光機能を付与するものである。本実施形態の機能性フィルム３は、アルミ蒸着層６の外面側にポリエチレン製のラミネート層７を備えたものであり、基材５、アルミ蒸着層６及びラミネート層７の３層構造をなしている。基材５は、厚さが３０μｍよりも小さいものが好ましく、本実施形態では基材５の厚み寸法を例えば１５μｍ程度に設定している。基材５は、凹凸を有しない平坦なフィルム状のものであり、その一面にアルミ蒸着を施してある。アルミ蒸着層６は、厚さが約３００〜４００Å（オングストローム）である。なお、このような機能性フィルム３の製造それ自体は、既知の技術に従って実施することができる。ラミネート層７は、厚さが５０μｍよりも薄いものが好ましく、本実施形態ではラミネート層７の厚み寸法を例えば１５μｍ程度に設定している。
【００４９】
しかして、本実施形態の気泡シート体１は、機能性フィルム３の前記基材５側の面３１が、前記バックフィルムＢの外面４１の全体を覆うように添着されており、前記機能性フィルム３が添着されるバックフィルムＢは、ポリオレフィン樹脂に接着性ポリマーが添加されたものである。
【００５０】
気泡シート体１の製造方法は、第１実施形態のものに準じるため説明を省略する。また、本実施形態の気泡シート体１を用いて、第１実施形態の梱包具８、９に準じた梱包具を構成することができる。その際、袋状または箱状の梱包具は、バックフィルムＢ側のみに機能性フィルム３が添着された気泡シート体１を用いて構成されるもので、物品収容空間側に気泡シート２のライナーフィルムＬが位置するとともに、外部側に機能性フィルム３のラミネート層７が露出するようになっている。さらに、本実施形態の気泡シート体１は、気泡シート２の製造の際に雑色原料を用いていないため、物品収容空間側に機能性フィルム３のラミネート層７が位置するとともに、外部側に気泡シート２のライナーフィルムＬが露出するように構成された袋状または箱状の梱包具であってもよい。
【００５１】
本実施形態に係る気泡シート体１は、上述したようなものであるので、第１実施形態のものに準じた効果を得ることができる。また、第２実施形態のものと同様に、前記機能性フィルム３が、前記アルミ蒸着層６の外側にポリエチレン製のラミネート層７を備えたものであるため、アルミ蒸着層６自体を保護できるだけでなく、気泡シート２と機能性フィルム３との接着面に水を浸入しにくくして接着効果を持続させることができるという効果もある。このように、耐候性に優れたものであるため、例えばトンネル等、室外で用いられる建材にも適用させることができる。また、この気泡シート体１の廃棄時には、ポリエチレン製のラミネート層７と金属製のアルミ蒸着層６とを分別することができる。
【００５２】
さらに、本実施形態の気泡シート体１によれば、気泡シート２として正規品を用いているので、梱包具として使用する際、機能性フィルム３と反対側、すなわち、気泡シート２のライナーフィルムＬ側を外部に露出させて用いることもできる。このように外側に気泡シート２の気泡２ａの柄が露出するので、突起（気泡２ａ）の形状を平面視円形状以外にも、ハート形やその他の形状にしてもよいのはもちろんである。
【００５３】
なお、本発明は以上に述べた実施形態に限られない。
【００５４】
例えば、気泡シートは、上述した３層構造のものに限られず、前記キャップフィルムと、このキャップフィルムの突起開放側に添着したバックフィルムとを有したいわゆる２層構造のものであってもよい。この場合には、バックフィルムの外面に機能性フィルムを添着するようにすればよい。
【００５５】
また、気泡シートが３層構造のものであっても、ライナーフィルムの外面に機能性フィルムを添着するようにしたものも考えられる。この場合には、外層フィルムであるライナーフィルムに接着性ポリマーを添加するようにすればよい。
【００５６】
気泡シートを構成するキャップフィルム、バックフィルム、ライナーフィルムは、ポリエチレン製のもので説明したが、ポリプロピレン等の他のポリオレフィン樹脂でも同様の効果が得られる。なお、他のポリオレフィン樹脂に比べてポリエチレンは、柔軟性及び可撓性に優れており、化学的に安定で耐水性、耐薬品性がある。また、ポリエチレンは、強靱で、可撓性があり、低温でもぜい化しにくく、また、加工性がよいという特徴を有しているため、本発明のような袋状または箱状の梱包具として好適に使用される。すなわち、柔軟性が必要とされる用途に用いる場合には、ポリエチレンを用いることが好ましい。さらに、これらのキャップフィルム、バックフィルム、ライナーフィルムを再生材料で形成するようにすれば、気泡シートを比較的安価に製作できるという価格面のメリットがある。特に、機能性フィルムが添着される外層フィルムを再生材料で形成すれば、機能性フィルムのＰＥＴ製の基材を融着しやすくでき、接着性ポリマーとの配合が比較的容易であるという構造面のメリットもある。
【００５７】
また、梱包具についても上述した実施形態に示したものに限られず、種々変更可能である。
【００５８】
その他、本発明の趣旨を損ねない範囲で種々に変更してよい。
【符号の説明】
【００５９】
１…気泡シート体
２…気泡シート
Ｃ…キャップフィルム
Ｂ…バックフィルム
Ｌ…ライナーフィルム
３…機能性フィルム
３１…基材側の面
４…外層フィルム
４１…外面
５…基材
６…アルミ蒸着層
７…ラミネート層
８、９…梱包具
８１、９１…物品収容空間
【図１】
2014121828.tif 000003
【図２】
2014121828.tif 000004
【図３】
2014121828.tif 000005
【図４】
2014121828.tif 000006
【図５】
2014121828.tif 000007